(57)【要約】      （修正有）【課題】足の外側から内側へと体重移動を誘導するＯ脚予防用中敷を提供する。【解決手段】本体が発泡エチレン酢酸ビニルコポリマー素材又は発泡ポリウレタン素材にて成型された中敷であって、中敷表面には土踏まず部分に相当する内側２には足の縦アーチを支える形状の凸部３を、中央部には足の横アーチを支える凸部５を設け、拇指球部分６には浅い窪み７を設け、カップ形状部分１３を踵部分から中敷中央部４の足外側部分まで延長し、中敷裏面の外側面８の踵部から足の中心にかけて硬質素材の補強材１１を取り付けた。また、前記補強材１１は中央部分に厚みを付けることで中敷外側面８から内側に向けて前記カップ形状部分１３のカップ内面に沿った角度を持たせた。【選択図】図１
0003225827.tif 000002
【実用新案登録請求の範囲】
【請求項１】
本体が発泡エチレン酢酸ビニルコポリマー素材又は発泡ポリウレタン素材にて成型された中敷であって、中敷表面には土踏まず部分に相当する内側２には足の縦アーチを支える形状の凸部３を、中央部には足の横アーチを支える凸部５を設け、拇指球部分６には浅い窪み７を設け、カップ形状部分１３を踵部分から中敷中央部の足外側部分まで延長し、中敷裏面の外側面８の踵部９から足の中心１０にかけて硬質素材の補強材１１を取り付けたことを特徴とするＯ脚予防用中敷。
【請求項２】
前記補強材１１は中央部分１１ａに厚み１１ｂを付けることで中敷外側面８から内側に向けて前記カップ形状部分１３のカップ内面１１ｃに沿った角度を持たせたことを特徴とする請求項１に記載のＯ脚予防用中敷。
【考案の詳細な説明】
【技術分野】
【０００１】
本考案は、高齢者若しくは成人向けのＯ脚予防用中敷に関する。
【背景技術】
【０００２】
高齢化が進む現代で、高齢者の生活の質（ＱＯＬ）を改善し、健康の増進を図ることが社会福祉費の増加を抑えるためには必須とされている。高齢者のＱＯＬを考える時、とりわけ重要とされることが足腰の健康を維持することで、そこで問題になるのが高齢者の膝の衰えからくる痛みである。大きな原因になっているのが変形性膝関節症であり、特に高齢女性の膝の痛みの主な原因となっている。
【０００３】
変形性膝関節症が進むと、膝の痛みのため階段の昇り降りや正座ができない、走れないなど日常生活にも支障がでる。更にひどくなると歩行そのものがつらくなりＱＯＬの低下へとつながる。その変形性膝関節症の最大の原因がＯ脚であり、Ｏ脚が長く続くと立ったり歩いたりする際に膝の内側に負担が多くかかり、関節軟骨が部分的にすり減ってしまい、骨同士が擦れ合う状態になって痛みが現れる。この結果として起こるのが変形性膝関節症である。即ち、高齢者の膝の関節の問題を考えたとき、Ｏ脚の問題に対処することが肝要であり、それを予防、改善する効果の期待できる商品の開発は社会的にも意義のあるものである。
【０００４】
Ｏ脚の予防、改善を考える時、先ずその原因として大きく考えられるのが、足の小指側に重心が傾いてしまう「外側重心」である。本来適切な立ち方、歩き方は内側に重心がかかった「内側重心」であり、体に１本の軸が通ったように真っ直ぐ立つ姿勢が保たれる必要がある。
【０００５】
外側重心は身体の両サイドに過剰な負担がかかることで疲れやすくなったり、骨盤が広がって太腿が外に出っ張ったように見えてしまう。これがＯ脚と呼ばれる状態であり、外側重心が続くことで膝関節の内側が擦れて変形し、変形性膝関節症になっていく。
【０００６】
今までにも、歩行時の姿勢安定や歩き易さを目的とした中敷は多数提案されている。例えば、特許文献１の中敷は、インソール本体部を、つま先部の内側が外側よりも高さが低く形成され、つま先部の表面が外側から内側に向けて下向きに傾斜する傾斜面にしたものである。
【０００７】
また、特許文献２の中敷は、平板状の弾性材料で形成され、足裏が接する表面にくぼみ部や種々の隆起部を形成し、あおり歩行を誘導することで歩行中にスムースに重心移動ができ疲れにくく安定した歩行を担保しようとしたものである。
【０００８】
また、特許文献３の中敷は、中足部から踵部にかけて立ち上がり部を設け波型形状の補強部とし、この補強部の形状を足骨形状や重心の移動曲線を考慮した形状とすることで安定した歩行・走行を担保し、地面から受ける力を緩和させることを目的とする。
【０００９】
更に、特許文献４の中敷は、高齢者のＯ脚を予防し、あおり歩行を促進できる中敷を含む靴底であり、踵部から踏み付け部にかけて漸次肉薄な傾斜部を設けている。あおり歩行を促進して歩行バランスを保持し、躓きや外側方向に倒れたりするのを未然に予防し、踵部後方での足の接地性と爪先部での蹴り動作が滑らかで歩行時の初期接地安定性が図れるとしたものである。
【先行技術文献】
【特許文献】
【００１０】
【特許文献１】特許第６５１６８０８号公報
【特許文献２】特許第５８１５１７２号公報
【特許文献３】特許第４０３３６４７号公報
【特許文献４】特許第３８７４９８２号公報
【考案の概要】
【考案が解決しようとする課題】
【００１１】
前記したように、外側重心を改善するには、足の親指に重心がかかっている状態、即ち、内側重心へと変えていくことが必要であり、足の親指に重心をかけることで、太腿の内側の筋肉が使われ、立ち方、歩き方のバランスが取れるようになり、両膝の隙間も閉じていきＯ脚が矯正されていく。
【００１２】
本考案はこのような課題を考慮してなされたものであり、靴着用時に足の外側に傾いている重心を内側へと誘導し、また中敷の形状により足の親指関節が使われ易い構造にすることで、足指を使っての歩行を促進し、歩行時に足の親指に重心がかかるよう誘導するものである。
【課題を解決するための手段】
【００１３】
上記目的を達成するため、請求項１記載のＯ脚予防用中敷は、本体が発泡エチレン酢酸ビニルコポリマー素材又は発泡ポリウレタン素材にて成型され、中敷表面には土踏まず部分に相当する内側には足の縦アーチを支える形状の凸部を、中央部には足の横アーチを支える凸部を設け、拇指球部分には浅い窪みを設け、カップ形状部分を踵部分から中敷中央部の足外側部分まで延長し、中敷裏面の外側面の踵部から足の中心にかけて硬質素材の補強材を取り付けたことを特徴とする。
【００１４】
請求項２記載のＯ脚予防用中敷は、前記補強材は中央部分に厚みを付けることで中敷外側面から内側に向けて前記カップ形状の内面に沿った角度を持たせたことを特徴とする。
【考案の効果】
【００１５】
本考案によれば、中敷外側の裏面に中敷本体と異なる硬度の高い補強部材を取り付け、中敷の内側と外側に硬度の差をつけることで、着用時に足が内側へ徐々に傾斜するようになる。又、該補強部材に厚みを持たせて外側から内側にかけて傾斜を付けることで足の外側に傾いている重心を内側へと誘導する。この時の中敷の硬度の変化が段々になるようにすることで足の自然な傾きを促すことができる。この作用によって得られる足の傾きが着用者の膝の内側にかかる負担を軽減し、加齢などによるＯ脚が原因で起こるとされる膝の障害に対して効果が期待できる。
【００１６】
また、足の内側への傾斜によって体圧の必要以上の内側への集中により、足内側の縦のアーチが潰れてしまい、着用者の拇指への体重の集中で外反母趾等の障害の誘発が考えられるため、傾斜による体圧集中を防いで体圧の分散を促すために足内側のアーチを支える凸部（隆起部）を設けることで内側アーチがサポートされ、拇指部への体重の集中による障害を予防することができる。
【図面の簡単な説明】
【００１７】
【図１】本考案の実施例を示す右足の中敷の平面図である。
【図２】中敷の背面図である。
【図３】中敷の右側面図である。
【図４】補強材の説明図である。
【図５】図１におけるＸ−Ｘ線端面図である。
【考案を実施するための形態】
【００１８】
以下、本考案を図示する実施形態により具体的に説明する。図１乃至図５は、本考案の一実施形態のＯ脚予防用中敷で、中敷本体１は発泡ＥＶＡ（エチレン酢酸ビニルコポリマー）素材又は発泡ＰＵ（ポリウレタン）素材を踵部分Ｈを含め一体に成型したものであり、中敷表面Ａは足裏の形状に合わせた立体構造になっており、土踏まず部分に相当する中敷内側２には足の縦アーチを支える形状の隆起した凸部３を設け、中敷中央部４には足の横アーチ構造を支えるための隆起した凸部５を設けている。その前方の拇指球が当たる部分６には１乃至２ｍｍの窪み７を設けている。
【００１９】
また、中敷裏面Ｂの外側面８側の踵部９から足の中心１０にかける長さに、硬質のＴＰＵ（熱可塑性ポリウレタン）素材の補強材１１を取り付けることで中敷の外側面８の硬度を補強している（図２の斜線部）。前記ＴＰＵ素材の補強材１１は中敷裏面Ｂのみでなく、カップ形状に反り上がった中敷側面の補強部１２にも及ぶ（図３の斜線部）。
尚、本考案の中敷表面Ａ、即ち足の着用面は足裏に対して並行であり、中敷裏面Ｂの補強材１１の添付により傾斜する構造ではない。要は着用時の体重の圧を受け、中敷の素材の硬度の差により徐々に内側に向けて傾斜していく構造になっており、足の外側に傾いている重心を内側へ誘導する構造である。
【００２０】
また、中敷は本来踵部分を安定させることが目的であり、一般的に踵部分のみを支える形状になっている隆起したカップ形状部分１３を、足外側部分のみ中敷中央部４の長さ４ａまで延長し、中敷裏面Ｂに添付する硬質のＴＰＵ素材の補強材１１もその長さまで延長し補強している（図３斜線部参照）。図４は該補強材１１単体の説明図である。また、該補強材１１の形状も均一の厚さではなく、中央部１１ａに厚み１１ｂを付けることで中敷外側面８から内側に向けて一定の角度、即ち、カップ形状の内面１１ｃに沿った角度を持たせている（図５の斜線部参照）。
【００２１】
次に本考案の作用を説明する。
本考案の中敷を敷いた靴を着用すると、先ず足裏が足裏形状に合わせた立体構造の中敷と水平に接することで足裏の圧力が中敷全体の面に対して分散する。その後、体重が足の圧力として加えられると、中敷がその圧力により変形していくに従いＴＰＵ素材の補強材１１の効果による中敷内面の素材の硬度の差により中敷表面Ａ（足着用面）が足外側から内側に向けて傾斜していく。これにより着用者の重心は足外側から内側へと自然に誘導されていく。
【００２２】
また、外側の足中央部まで延長されたカップ形状部分１３とその裏面のＴＰＵ素材の補強材１１の補強の効果で、外側重心になっている着用者の足が外側へ傾くことや中敷の外側へと逸脱することを側面からも防ぐことができる。
【００２３】
又、内側へと誘導された重心によって内側に過度の圧力がかかることで足の内側の縦アーチが潰れてしまうことによって外反母趾などの足の障害が誘発されることのないよう、中敷内側２の隆起した凸部３によって内側の縦アーチを支える構造となっている。  
【００２４】
また、内側に重心が移ることで足の親指に重心がかかる状態（内側重心）へと誘導した後、拇指球部６の窪み７によってその足の親指に重心がかかった状態から親指を使っての蹴り出し、歩行が促される構造となっている。
【００２５】
上述のように、本考案では中敷の素材の硬度の差によって角度をもたらすのが狙いで、体重がかかるまでは通常の中敷と同様に足に対して並行に接することができる中敷であることで、着用時に足裏全面が先ず平行に中敷に対して圧力を伝え、それにより均等に体圧を分散することで足の疲労を軽減することができる。又、内側重心への誘導の仕方が、中敷の外側、内側の硬度の段々の変化と体圧による中敷の変形によって重心を内側へと自然に誘導するものであることから、従前の中敷そのものに傾斜を設けて強制的に重心の移動をさせるものとは異なり、内側への自然な重心の誘導を可能にしている。
【符号の説明】
【００２６】
１    中敷本体
２    中敷内側
３    凸部
４    中敷の中央部
４ａ  中敷中央部の長さ
５    凸部
６    拇指球に当たる部分
７    窪み
８    中敷の外側面
９    踵部
１０  中敷の中心
１１  補強材（ＴＰＵ素材）
１１ａ  補強材の中央部          
１１ｂ  補強材の厚み
１１ｃ  補強材のカップ形状の内面
１２  中敷側面補強部
１３  中敷のカップ状部分
Ａ    中敷表面
Ｂ    中敷裏面
Ｈ    踵部分
【図１】
0003225827.tif 000003
【図２】
0003225827.tif 000004
【図３】
0003225827.tif 000005
【図４】
0003225827.tif 000006
【図５】
0003225827.tif 000007